(57)【要約】【課題】下端開口の容器内に液体を収納するカートリッジを入れてカートリッジを容器から落下するようなことなく確実に保持することができるようにした。【解決手段】容器７上端に取り付けられたポンプ部材６のチューブ９がカートリッジ１の上端に突き刺さり、ポンプ部材６により液体を注出するようにした液体注出装置において、カートリッジ１は筒状となるように形成された胴部４を備え、この胴部４の上端に接合されるリング部材３は胴部４の外径よりも大きく胴部４よりも外側に張り出すリング状の鍔部３ｂを備えており、カートリッジ１の内部に液体が収納された状態でリング部材３の鍔部３ｂ上面に合成樹脂フィルムからなる蓋シート５が接合されており、容器７の上端近傍内面には溝１１が形成され、容器７の下端開口より挿入したカートリッジ１の前記鍔部３ｂが前記溝１１に嵌入係止してカートリッジ１がセットされるように構成した。【選択図】図４
2011068371.tif 000002
【特許請求の範囲】
【請求項１】
液体が収納されたカートリッジが容器内に入れられ、容器上端に取り付けられたポンプ部材の液体吸上げ用のチューブがカートリッジの上端に突き刺さり、ポンプ部材の上下動作により液体を注出するようにした液体注出装置において、前記カートリッジは下端の底部材と、上端のリング部材と、前記リング部材および底部材に上下両端部が接合され合成樹脂製フィルムを含む材料からなる可撓性フィルムにより筒状となるように形成された胴部を備え、前記上端のリング部材は胴部の上端が重なり胴部と接合される筒状の上端支持部とこの上端支持部の上端に一体に形成され上端支持部および胴部の外径よりも大きく胴部よりも外側に張り出すリング状の鍔部とを備えており、前記底部材、リング部材および胴部で形成されるカートリッジの内部に液体が収納された状態で上端のリング部材の鍔部上面に合成樹脂製フィルムを含む材料からなり前記チューブが突き刺さる蓋シートが接合されており、前記容器は下端が開口し、また容器の上端近傍内面には溝が形成されており、容器の下端開口より挿入したカートリッジの上端のリング部材の鍔部が前記溝に嵌入係止して容器内にカートリッジがセットされるように構成したことを特徴とする液体注出装置。
【請求項２】
容器の上端近傍内面の溝は環状に形成されていることを特徴とする請求項１記載の液体注出装置。
【請求項３】
液体が収納されたカートリッジが容器内に入れられ、容器上端に取り付けられたポンプ部材の液体吸上げ用のチューブがカートリッジの上端に突き刺さり、ポンプ部材の上下動作により液体を注出するようにした液体注出装置において、前記カートリッジは下端の底部材と、上端のリング部材と、前記リング部材および底部材に上下両端部が接合され合成樹脂製フィルムを含む材料からなる可撓性フィルムにより筒状となるように形成された胴部を備え、前記上端のリング部材は胴部の上端が重なり胴部と接合される筒状の上端支持部とこの上端支持部の上端に一体に形成され上端支持部および胴部の外径よりも大きく胴部よりも外側に張り出すリング状の鍔部とを備えており、前記底部材、リング部材および胴部で形成されるカートリッジの内部に液体が収納された状態で上端のリング部材の鍔部上面に合成樹脂製フィルムを含む材料からなり前記チューブが突き刺さる蓋シートが接合されており、前記容器は下端が開口し、また容器の上端近傍内面には雌ねじ部が形成され、カートリッジの上端のリング部材の鍔部外面には前記雌ねじ部に螺合する雄ねじ部が形成され、容器の下端開口より挿入したカートリッジの上端の雄ねじ部が容器側の雌ねじ部に螺合して容器内にカートリッジがセットされるように構成したことを特徴とする液体注出装置。
【発明の詳細な説明】
【技術分野】
【０００１】
本発明は、液体が収納されたカートリッジが容器内に入れられ、ポンプ部材の液体吸上げ用のチューブが突き刺さり、ポンプ部材の上下動作により液体を注出するようにした液体注出装置に関するものである。
【背景技術】
【０００２】
従来のこの種液体注出装置としては例えば特許文献１に開示されているように、下方に突出するチューブを備えたポンプ部材を上端に設けてなる容器内に内部に洗剤などの液体が収納される液体収納袋が入れられ、液体収納袋の上端のフイルムを前記チューブにより突き刺し、ポンプ部材の上下動作により液体を注出するようにした液体注出装置が知られている。
【先行技術文献】
【特許文献】
【０００３】
【特許文献１】特開平７−１７２４６６号公報
【発明の概要】
【発明が解決しようとする課題】
【０００４】
そして、上記特許文献１に開示されている液体収納袋は、合成樹脂材料を用いてブロー成型などにより筒状に作られているものであって、ポンプ部材の上下動作により液体収納袋内部が減圧され、袋内部の液体が殆んどポンプ部材のノズルから抽出されるのである。具体的には、上記特許文献１に開示されている液体収納袋は底のある容器に入れられ、容器の上端に被さる蓋体に取り付けられたポンプ部材のチューブを液体収納袋の上端のフイルムに突き刺し、ポンプ部材の上下動作により液体収納袋内部の液体を抽出しようとするものである。
【０００５】
かかる構成において、容器内に液体収納袋をセットする場合は蓋体を容器から取り外した状態で液体収納袋を容器内にセットしており、その後蓋体に取り付けてあるポンプ部材のチューブを液体収納袋の上端のフイルムに突き刺した状態にし、ポンプ部材の上下動作により液体収納袋内部の液体を抽出するものであり、液体が収納されている袋は容器の底部で受けられるようになっている。
【０００６】
つまり、容器に対する液体収納袋の出し入れは蓋体を取り外した状態で容器の上端より行なわねばならず、作業性が悪いという問題があった。
本発明の目的は、このような課題を解決するものであり、下端開口の容器内に液体を収納するカートリッジを入れてカートリッジを容器から落下するようなことなく確実に保持することができ、且つ蓋体を取り外したりすることなく容器の下端からカートリッジの出し入れを簡単に行なえるようにした液体注出装置を提供することにある。
【課題を解決するための手段】
【０００７】
本発明の請求項１に記載の液体注出装置は、液体が収納されたカートリッジが容器内に入れられ、容器上端に取り付けられたポンプ部材の液体吸上げ用のチューブがカートリッジの上端に突き刺さり、ポンプ部材の上下動作により液体を注出するようにした液体注出装置において、前記カートリッジは下端の底部材と、上端のリング部材と、前記リング部材および底部材に上下両端部が接合され合成樹脂製フィルムを含む材料からなる可撓性フィルムにより筒状となるように形成された胴部を備え、前記上端のリング部材は胴部の上端が重なり胴部と接合される筒状の上端支持部とこの上端支持部の上端に一体に形成され上端支持部および胴部の外径よりも大きく胴部よりも外側に張り出すリング状の鍔部とを備えており、前記底部材、リング部材および胴部で形成されるカートリッジの内部に液体が収納された状態で上端のリング部材の鍔部上面に合成樹脂製フィルムを含む材料からなり前記チューブが突き刺さる蓋シートが接合されており、前記容器は下端が開口し、また容器の上端近傍内面には溝が形成されており、容器の下端開口より挿入したカートリッジの上端のリング部材の鍔部が前記溝に嵌入係止して容器内にカートリッジがセットされるように構成したことを特徴とする。
【０００８】
請求項２に記載の液体注出装置は、容器の上端近傍内面の溝は環状に形成されていることを特徴とする。
請求項３に記載の液体注出装置は、液体が収納されたカートリッジが容器内に入れられ、容器上端に取り付けられたポンプ部材の液体吸上げ用のチューブがカートリッジの上端に突き刺さり、ポンプ部材の上下動作により液体を注出するようにした液体注出装置において、前記カートリッジは下端の底部材と、上端のリング部材と、前記リング部材および底部材に上下両端部が接合され合成樹脂製フィルムを含む材料からなる可撓性フィルムにより筒状となるように形成された胴部を備え、前記上端のリング部材は胴部の上端が重なり胴部と接合される筒状の上端支持部とこの上端支持部の上端に一体に形成され上端支持部および胴部の外径よりも大きく胴部よりも外側に張り出すリング状の鍔部とを備えており、前記底部材、リング部材および胴部で形成されるカートリッジの内部に液体が収納された状態で上端のリング部材の鍔部上面に合成樹脂製フィルムを含む材料からなり前記チューブが突き刺さる蓋シートが接合されており、前記容器は下端が開口し、また容器の上端近傍内面には雌ねじ部が形成され、カートリッジの上端のリング部材の鍔部外面には前記雌ねじ部に螺合する雄ねじ部が形成され、容器の下端開口より挿入したカートリッジの上端の雄ねじ部が容器側の雌ねじ部に螺合して容器内にカートリッジがセットされるように構成したことを特徴とする。
【発明の効果】
【０００９】
以上のように、本発明の液体注出装置は、容器の下端開口より挿入したカートリッジの上端の鍔部が容器内面の溝に嵌入係止するか、あるいはカートリッジの上端の鍔部外面の雄ねじ部が容器内面の雌ねじ部に螺合することにより容器内にカートリッジを容器から落下するようなことなく確実に保持することができ、且つ容器の蓋体を取り外したりすることなく容器の下端からカートリッジの出し入れを簡単に行なうことができる。
【図面の簡単な説明】
【００１０】
【図１】本発明の第１の実施の形態におけるカートリッジの分解斜視図である。
【図２】同カートリッジの完成斜視図である。
【図３】同カートリッジが収納セットされる容器の縦断面図である。
【図４】同カートリッジを容器内に入れてセットした状態を示す縦断面図である。
【図５】本発明の第２の実施の形態におけるカートリッジが収納セットされる容器の縦断面図である。
【図６】同カートリッジを容器内に入れてセットした状態を示す縦断面図である。
【図７】本発明の第３の実施の形態におけるカートリッジの正面図である。
【図８】同カートリッジが収納セットされる容器の縦断面図である。
【図９】同カートリッジを容器内に入れてセットした状態を示す縦断面図である。
【図１０】本発明の第４の実施の形態におけるカートリッジの正面図である。
【図１１】同カートリッジの平面図である。
【図１２】同カートリッジが収納セットされる容器の縦断面図である。
【図１３】同カートリッジが収納セットされる容器の横断面図である。
【図１４】同カートリッジを容器内に入れてセットした状態を示す縦断面図である。
【図１５】同カートリッジを容器内に入れてセットした状態を示す横断面図である。
【発明を実施するための形態】
【００１１】
以下、本発明の実施の形態を、図面を用いて具体的に説明する。
先ず、図１〜図４に示す第１の実施の形態について説明すると、図において１は化粧液などの液体を収納するカートリッジであり、このカートリッジ１は合成樹脂材料からなる外径が円形の下端の底部材２と、同じく合成樹脂材料からなる外径が円形の上端のリング部材３と、前記リング部材３および底部材２に上下両端部が接合され合成樹脂製の可撓性フィルムにより筒状となるように形成された胴部４を備えている。
【００１２】
詳しくは、前記底部材２は底板部２ａと、この底板部２ａの周囲に下向きに一体に形成され胴部４の下端内面が外面に重なり胴部４と接合される筒状の下端支持部２ｂとを備え、前記上端のリング部材３は胴部４の上端内面が外面に重なり胴部４と接合される筒状の上端支持部３ａを有するとともにこの上端支持部３ａの上端に一体に形成され上端支持部３ａおよび胴部４の外径よりも大きく胴部４よりも外側に張り出すリング状の鍔部３ｂとを備えている。前記胴部４はチューブ状に成型されたものを使用しても良いが、シート状のものを下端支持部２ｂおよび上端支持部３ａに巻き付けて接合させるようにして円筒状に形作っても良い。
【００１３】
このように底部材２、リング部材３および胴部４で形成されるカートリッジ１の内部に液体が収納され、上端のリング部材３の鍔部３ｂ上面に合成樹脂フィルムからなる蓋シート５が接合される。
【００１４】
上記のように液体が収納されたカートリッジ１は、上端に液体注出用のポンプ部材６を備えた容器７内にセットされるものである。前記容器７はカートリッジ１を収納するために筒状で、上端にポンプ部材６を取り付けるために口部８を備え、下端が開口するように合成樹脂により作られており、前記口部８に取り付けられたポンプ部材６から下方に突出し下端が先鋭に形成された液体吸上げ用のチューブ９の下端が容器７の下端開口部より挿入されたカートリッジ１の上端の蓋シート５に突き刺さり、カートリッジ１内に位置するように構成されている。１０はチューブ９により吸上げられた液体を抽出するために前記ポンプ部材６に設けられた液体抽出口となるノズルである。容器７の下端開口部より挿入されたカートリッジ１は上端の前記鍔部３ｂが容器７の上端近傍内面に形成された環状の溝１１に下方から圧入され、カートリッジ１は容器７の下端開口部より不測に抜け出ないように構成されている。詳しくは、前記環状の溝１１は、この溝１１よりも上側の容器７の厚肉部７ａと溝１１よりも下側の容器７の薄肉部７ｂの上端の環状爪部７ｃとの間に形成され、環状爪部７ｃが僅かな角度で上拡がり状となっていることから、カートリッジ１を容器７の下端開口部より上方に押し込むことにより上端の鍔部３ｂが環状爪部７ｃを乗り越えて溝１１に嵌り込み、カートリッジ１の脱落が防止されるように構成されている。なお、溝１１は必ずしも環状でなくても良く、容器７の内面周方向に等間隔おきに分断されていても良い。
【００１５】
かかる状態で、カートリッジ１内の液体を抽出するときは前記ポンプ部材６を押し下げた後、上に戻すことにより前記チューブ９でカートリッジ１内の液体が吸上げられ、その動作を数回繰り返すことにより前記ノズル１０から液体が断続的に抽出されるものである。
【００１６】
カートリッジ１内の液体がなくなり使い終わったカートリッジ１を容器７から取り出すときは、容器７の下端開口部よりカートリッジ１の下端を引っ張って前記鍔部３ｂを溝１１から外し、カートリッジ１を容器７の下端開口部より引き抜けば良い。このとき、カートリッジ１を容器７の下端開口部より引き抜く方向に引っ張りやすくするために、カートリッジ１の底部材２の裏側に摘みを設けることも可能である。この実施の形態において、溝１１は必ずしも環状でなくても良く、容器７の内面周方向に等間隔おきに分断されていても良い。その場合、爪部７ｃも容器７の内面周方向に等間隔おきに分断されている。
【００１７】
上記した第１の実施の形態では容器７はポンプ部材６を除く全体が一体に形成されているが、図５および図６に示す第２の実施の形態のように溝１１の位置で容器７が下側の容器本体７Ａと蓋体７Ｂとに２分割され、容器本体７Ａの上端内側に上端口部にポンプ部材６が取り付けられる蓋体７Ｂの下端が嵌り込み、容器本体７Ａと蓋体７Ｂが結合した状態において蓋体７Ｂの下端と容器本体７Ａの上端の環状爪部７ｃとの間で溝１１が形成されるようにしても良い。
【００１８】
次に、図７〜図９に示す第３の実施の形態について説明すると、容器７の下端開口からのカートリッジ１の脱落を防止するために、容器７の上端近傍内面に雌ねじ部１２を形成し、カートリッジ１の上端のリング部材３の鍔部３ｂ外面には雄ねじ部３ｃを形成し、容器７の下端開口部より挿入したカートリッジ１の上端の雄ねじ部３ｃが容器７側の雌ねじ部１２に螺合して容器７内にカートリッジ１がセットされるようになっている。ところで、この第３の実施の形態における容器７も上下に２分割され、下側の容器本体７Ａの上端内側に上端口部にポンプ部材６が取り付けられる蓋体７Ｂの下端が嵌り込み結合されるように構成され、雌ねじ部１２は容器７本体Ａの上端近傍における蓋体７Ｂとの嵌合部下側に形成され、この雌ねじ部１２に螺合したカートリッジ１の上端は蓋体７Ｂの下面に当接するように構成されている。使い終わったカートリッジ１を容器７から取り出すときは、カートリッジ１を容器７内にセットするときとは逆方向に回して前記雄ねじ部３ｃと雌ねじ部１２の螺合を外し、カートリッジ１を容器７の下端開口部より引き抜けば良い。
【００１９】
このように容器７の上端近傍内面にカートリッジ１の上端の鍔部３ｂ外面の雄ねじ部３ｃが螺合する雌ねじ部１２を形成した形態においても、容器７はポンプ部材６を除く全体が一体に形成されていても良い。
【００２０】
次に、図１０〜図１５に示す第４の実施の形態について説明すると、容器７の上端近傍内面にカートリッジ１の上端の鍔部３ｂが嵌入係止する溝１３が形成されている。詳しくは、前記容器７は上下に２分割され、下端開口の下側の容器本体７Ａの上端内側に上端口部にポンプ部材６が取り付けられる蓋体７Ｂの下端が嵌り込み結合されるように構成され、蓋体７Ｂとの嵌合部を除く容器本体７Ａの内面を図面に示すような六角形などの多角形とし、容器本体７Ａと蓋体７Ｂとの嵌合部下側に容器本体７Ａの内面よりも大きな円形、つまり環状の溝１３を形成するようにしている。一方、カートリッジ１は胴部４の形は円筒形であり、その上端に設けられる鍔部３ｂは外形が前記容器本体７Ａの内面の形と同形の多角形で、容器本体７Ａの内面よりも僅かに小さく作られている。そして、カートリッジ１を容器７にセットするとき、鍔部３ｂの角を容器本体７Ａの内面の角に沿うようにカートリッジ１を容器本体７Ａの下端から挿入し、上端の鍔部３ｂが前記溝１３の位置で止まった状態でカートリッジ１を３０度から４０度回すことにより鍔部３ｂの角が容器本体７Ａの内面の角と角との間に位置し、鍔部３ｂが前記溝１３の底面で受けられてカートリッジ１の脱落が防止されるように構成されている。使い終わったカートリッジ１を容器７から取り出すときは、鍔部３ｂの角が容器本体７Ａの内面の角に合致するようにカートリッジ１を３０度から４０度回し、カートリッジ１を容器７の下端開口部より引き抜けば良い。
【００２１】
このように容器７の上端近傍内面にカートリッジ１の上端の多角形の鍔部３ｂが嵌入係止する溝１３が形成され、この溝１３よりも下側の容器７内面を多角形とした形態においても、容器７はポンプ部材６を除く全体が一体に形成されていても良い。
【００２２】
ところで、図面に示す各実施の形態では胴部４は外径が円形であるが、角形であっても良い。
なお、上記した各実施の形態において、カートリッジ１が容器内に収納された状態においてカートリッジ１の鍔部３ｂが係止してカートリッジ１が位置決めされるようになっているが、前記チューブ９の差し込み位置に対してカートリッジ１の上端の位置が好ましい位置となるようにカートリッジ１が位置決めされるようになっている。
【００２３】
また、カートリッジ１が容器内に収納された状態においてカートリッジ１の上端の鍔部３ｂを係止してカートリッジ１の脱落を防止するための構造は、上記した各実施の形態に限定されるものではない。
【００２４】
さらに、前記胴部４および蓋シート５は合成樹脂製フィルムの積層フィルムで作られていても良いが、合成樹脂製フィルムとアルミ箔との積層フィルムなどで作られていても良い。
【産業上の利用可能性】
【００２５】
本発明の液体注出装置用カートリッジは、液体が収納されるカートリッジが容器内に入れられ、ポンプ部材の液体吸上げ用のチューブが突き刺され、ポンプ部材の上下動作により液体を注出するようにした液体注出装置である。
【符号の説明】
【００２６】
１      カートリッジ
２      底部材
２ａ    底板部
２ｂ    下端支持部
３      リング部材
３ａ    上端支持部
３ｂ    鍔部
３ｃ    雄ねじ部
４      胴部
５      蓋シート
６      ポンプ部材
７      容器
７ａ    厚肉部
７ｂ    薄肉部
７ｃ    環状爪部
７Ａ    容器本体
７Ｂ    蓋体
８      口部
８ａ    雄ねじ部
９      チューブ
１０      ノズル
１１      溝
１２      雌ねじ部
１３      溝
【図１】
2011068371.tif 000003
【図２】
2011068371.tif 000004
【図３】
2011068371.tif 000005
【図４】
2011068371.tif 000006
【図５】
2011068371.tif 000007
【図６】
2011068371.tif 000008
【図７】
2011068371.tif 000009
【図８】
2011068371.tif 000010
【図９】
2011068371.tif 000011
【図１０】
2011068371.tif 000012
【図１１】
2011068371.tif 000013
【図１２】
2011068371.tif 000014
【図１３】
2011068371.tif 000015
【図１４】
2011068371.tif 000016
【図１５】
2011068371.tif 000017